(57)【要約】【課題】  縦書きのカード（例えば、名刺）および横書きのカードの双方を収容できるカードホルダを提供する。【解決手段】  名刺ＣのＸ方向への移動を防止する第一移動防止部１２２と、第一移動防止部１２２と直交し、−Ｙ方向への名刺Ｃの移動を防止する第二移動防止部１２４と、第一移動防止部１２２と平行に配置され、名刺Ｃの−Ｘ方向への移動を防止する第三移動防止部１２６と、第一移動防止部１２２と平行に配置され名刺Ｃの−Ｘ方向への移動を防止する補助第一移動防止部１３２と、第二移動防止部１２４と平行に配置され名刺Ｃの−Ｙ方向への移動を防止する補助第二移動防止部１３４とを有するただ一個の補助移動防止部１３０とを備える。なお、第一移動防止部１２２、第二移動防止部１２４および補助移動防止部１３０は、カード抑え１２が、裏表紙（カード載せ台）３に固定された部分である。【選択図】  図３
2006256257.tif 000002
【特許請求の範囲】
【請求項１】
カードの所定方向への移動を防止する第一移動防止部と、
前記第一移動防止部と直交し、前記所定方向とは直交する直交方向への前記カードの移動を防止する第二移動防止部と、
前記第一移動防止部と平行に配置され、前記カードの前記所定方向とは逆方向への移動を防止する第三移動防止部と、
前記第一移動防止部と平行に配置され前記カードの前記逆方向への移動を防止する補助第一移動防止部と、前記第二移動防止部と平行に配置され前記カードの前記直交方向への移動を防止する補助第二移動防止部とを有する補助移動防止部と、
を備え、
前記補助移動防止部を一個だけ備える、
カードホルダ。
【請求項２】
請求項１に記載のカードホルダであって、
カードを載せるためのカード載せ台と、
前記カードを抑えるためのカード抑えと、
を備え、
前記第一移動防止部、前記第二移動防止部、前記第三移動防止部、前記補助第一移動防止部および前記補助第二移動防止部は、前記カード載せ台に前記カード抑えが固定されている部分である、
カードホルダ。
【請求項３】
請求項１または２に記載のカードホルダであって、
前記第一移動防止部と前記第三移動防止部との間隔は、前記カードの長辺の長さ以上であり、
前記第一移動防止部と前記補助第一移動防止部との間隔は、前記カードの短辺の長さ以上であるが、前記長辺の長さ未満である、
カードホルダ。
【請求項４】
カードの所定方向への移動を防止する第一移動防止部と、
前記第一移動防止部と直交し、前記所定方向とは直交する直交方向への前記カードの移動を防止する第二移動防止部と、
前記第一移動防止部と平行に配置され前記カードの前記所定方向への移動を防止する部分と、前記第二移動防止部と平行に配置され前記カードの前記直交方向への移動を防止する部分とを有する第一付加移動防止部と、
前記第一移動防止部と平行に配置され前記カードの前記所定方向とは逆方向への移動を防止する部分と、前記第二移動防止部と平行に配置され前記カードの前記直交方向への移動を防止する部分とを有する第二付加移動防止部と、
前記第一移動防止部と平行に配置され前記カードの前記所定方向への移動を防止する部分と、前記第二移動防止部と平行に配置され前記カードの前記直交方向とは逆方向への移動を防止する部分とを有する第三付加移動防止部と、
前記第一移動防止部と平行に配置され前記カードの前記所定方向とは逆方向への移動を防止する部分と、前記第二移動防止部と平行に配置され前記カードの前記直交方向とは逆方向への移動を防止する部分とを有する第四付加移動防止部と、
を備えたカードホルダ。
【請求項５】
請求項４に記載のカードホルダであって、
カードを載せるためのカード載せ台と、
前記カードを抑えるためのカード抑えと、
を備え、
前記第一移動防止部、前記第二移動防止部、前記第一付加移動防止部、前記第二付加移動防止部、前記第三付加移動防止部および前記第四付加移動防止部は、前記カード載せ台に前記カード抑えが固定されている部分である、
カードホルダ。
【請求項６】
請求項４または５に記載のカードホルダであって、
前記第一付加移動防止部と前記第二付加移動防止部との間隔および前記第一付加移動防止部と前記第三付加移動防止部との間隔は、前記カードの短辺の長さ以上であるが、前記長辺の長さ未満である、
カードホルダ。
【請求項７】
請求項１ないし３のいずれか一項に記載のカードホルダであって、
前記カード載せ台および前記カード抑えが透明であり、
前記カード載せ台からは、縦または横の一方に配置された前記カードの一面の全てが見え、
前記カード抑えからは、縦または横の他方に配置された前記カードの一面の全てが見える、
カードホルダ。
【請求項８】
請求項４ないし６のいずれか一項に記載のカードホルダであって、
前記カード載せ台および前記カード抑えが透明であり、
前記カード載せ台からは、縦または横の一方に配置された前記カードの一面の全てが見え、
前記カード抑えからは、縦または横の他方に配置された前記カードの一面の全てが見える、
カードホルダ。
【発明の詳細な説明】
【技術分野】
【０００１】
本発明はカードを収容するカードホルダに関する。
【背景技術】
【０００２】
従来より、サービスの申込などにあたって申込書を記入させることが行われている。申込書は紙入れ等に入れて保管しておく。申込を行いたい人（「客」という）が現れると、営業担当者等が紙入れ等から申込書を取り出して客に渡す。客は、渡された申込書を記入して営業担当者等に渡す。
【０００３】
また、紙入れ等から申込書を取り出さないでもすむ紙入れも提案されている（例えば、特許文献１を参照）。さらに、紙入れ等に透明なポケットを設けて、営業担当者等の名刺を入れておき、客に見せるといったことも行われている。ここで、名刺には縦書きのものと、横書きのものとがある。よって、縦書きの名刺用には縦長の透明なポケットを用い、横書きの名刺用には横長の透明なポケットを用いる。
【０００４】
【特許文献１】特開２００４−８２３９９号公報
【発明の開示】
【発明が解決しようとする課題】
【０００５】
しかしながら、上記のようなポケットでは、縦書きおよび横書きの名刺の双方に使用できるわけではない。このようなことは、名刺のみならず、縦書きおよび横書きのカードについても同様なことがいえる。
【０００６】
そこで、本発明は、縦書きのカードおよび横書きのカードの双方を収容できるカードホルダを提供することを課題とする。
【課題を解決するための手段】
【０００７】
本発明にかかるカードホルダは、カードの所定方向への移動を防止する第一移動防止部と、前記第一移動防止部と直交し、前記所定方向とは直交する直交方向への前記カードの移動を防止する第二移動防止部と、前記第一移動防止部と平行に配置され、前記カードの前記所定方向とは逆方向への移動を防止する第三移動防止部と、前記第一移動防止部と平行に配置され前記カードの前記逆方向への移動を防止する補助第一移動防止部と、前記第二移動防止部と平行に配置され前記カードの前記直交方向への移動を防止する補助第二移動防止部とを有する補助移動防止部と、を備え、前記補助移動防止部を一個だけ備えるように構成される。
【０００８】
上記のように構成されたカードホルダによれば、第一移動防止部は、カードの所定方向への移動を防止する。第二移動防止部は、前記第一移動防止部と直交し、前記所定方向とは直交する直交方向への前記カードの移動を防止する。第三移動防止部は、前記第一移動防止部と平行に配置され、前記カードの前記所定方向とは逆方向への移動を防止する。補助移動防止部は、前記第一移動防止部と平行に配置され前記カードの前記逆方向への移動を防止する補助第一移動防止部と、前記第二移動防止部と平行に配置され前記カードの前記直交方向への移動を防止する補助第二移動防止部とを有する。しかも、前記補助移動防止部を一個だけ備える。
【０００９】
また、本発明にかかるカードホルダは、カードを載せるためのカード載せ台と、前記カードを抑えるためのカード抑えと、を備え、前記第一移動防止部、前記第二移動防止部、前記第三移動防止部、前記補助第一移動防止部および前記補助第二移動防止部は、前記カード載せ台に前記カード抑えが固定されている部分であるようにしてもよい。
【００１０】
また、本発明にかかるカードホルダは、前記第一移動防止部と前記第三移動防止部との間隔は、前記カードの長辺の長さ以上であり、前記第一移動防止部と前記補助第一移動防止部との間隔は、前記カードの短辺の長さ以上であるが、前記長辺の長さ未満であるようにしてもよい。
【００１１】
本発明にかかるカードホルダは、カードの所定方向への移動を防止する第一移動防止部と、前記第一移動防止部と直交し、前記所定方向とは直交する直交方向への前記カードの移動を防止する第二移動防止部と、前記第一移動防止部と平行に配置され前記カードの前記所定方向への移動を防止する部分と、前記第二移動防止部と平行に配置され前記カードの前記直交方向への移動を防止する部分とを有する第一付加移動防止部と、前記第一移動防止部と平行に配置され前記カードの前記所定方向とは逆方向への移動を防止する部分と、前記第二移動防止部と平行に配置され前記カードの前記直交方向への移動を防止する部分とを有する第二付加移動防止部と、前記第一移動防止部と平行に配置され前記カードの前記所定方向への移動を防止する部分と、前記第二移動防止部と平行に配置され前記カードの前記直交方向とは逆方向への移動を防止する部分とを有する第三付加移動防止部と、前記第一移動防止部と平行に配置され前記カードの前記所定方向とは逆方向への移動を防止する部分と、前記第二移動防止部と平行に配置され前記カードの前記直交方向とは逆方向への移動を防止する部分とを有する第四付加移動防止部とを備えるように構成される。
【００１２】
上記のように構成されたカードホルダによれば、第一移動防止部は、カードの所定方向への移動を防止する。第二移動防止部は、前記第一移動防止部と直交し、前記所定方向とは直交する直交方向への前記カードの移動を防止する。第一付加移動防止部は、前記第一移動防止部と平行に配置され前記カードの前記所定方向への移動を防止する部分と、前記第二移動防止部と平行に配置され前記カードの前記直交方向への移動を防止す部分とを有する。第二付加移動防止部は、前記第一移動防止部と平行に配置され前記カードの前記所定方向とは逆方向への移動を防止する部分と、前記第二移動防止部と平行に配置され前記カードの前記直交方向への移動を防止する部分とを有する。第三付加移動防止部は、前記第一移動防止部と平行に配置され前記カードの前記所定方向への移動を防止する部分と、前記第二移動防止部と平行に配置され前記カードの前記直交方向とは逆方向への移動を防止する部分とを有する。第四付加移動防止部は、前記第一移動防止部と平行に配置され前記カードの前記所定方向とは逆方向への移動を防止する部分と、前記第二移動防止部と平行に配置され前記カードの前記直交方向とは逆方向への移動を防止する部分とを有する。
【００１３】
また、本発明にかかるカードホルダは、カードを載せるためのカード載せ台と、前記カードを抑えるためのカード抑えと、を備え、前記第一移動防止部、前記第二移動防止部、前記第一付加移動防止部、前記第二付加移動防止部、前記第三付加移動防止部および前記第四付加移動防止部は、前記カード載せ台に前記カード抑えが固定されている部分であるように構成される。
【００１４】
また、本発明にかかるカードホルダは、前記第一付加移動防止部と前記第二付加移動防止部との間隔および前記第一付加移動防止部と前記第三付加移動防止部との間隔は、前記カードの短辺の長さ以上であるが、前記長辺の長さ未満であるように構成される。
【００１５】
また、本発明にかかるカードホルダは、前記カード載せ台および前記カード抑えが透明であり、前記カード載せ台からは、縦または横の一方に配置された前記カードの一面の全てが見え、前記カード抑えからは、縦または横の他方に配置された前記カードの一面の全てが見えるように構成される。
【発明を実施するための最良の形態】
【００１６】
以下、本発明の実施形態を図面を参照しながら説明する。
【００１７】
図１は、本発明の実施の形態にかかるバインダ１を開いた状態の平面図である。
【００１８】
バインダ１は、表表紙２、裏表紙（カード載せ台）３、結合部４、ポケット６、書類８、名刺ホルダ（カードホルダ）１０を備える。
【００１９】
表表紙２および裏表紙３は、長方形状（例えばＡ４サイズ）であり、硬い素材（例えば、プラスチック）でできている。表表紙２および裏表紙３は、透明な素材であってもよい。結合部４は、表表紙２および裏表紙３を結合し、バインダ１の背表紙としての機能も果たす。結合部４には、ポケット６が取り付けられている。ポケット６は柔らかく透明な素材でできており、例えば上辺が開放されている。なお、上辺を開放するかわりに、右辺または左辺を開放してもよい。ポケット６の上辺から書類８を出し入れできる。図１に示す状態では、書類８を入れたポケット６がめくられて、表表紙２にかぶさっている。
【００２０】
裏表紙３には、名刺ホルダ（カードホルダ）１０が取り付けられている。名刺ホルダ１０には名刺を入れることができる。これにより、例えば、営業担当者が書類８と自分の名刺とを同時に客に見せながら営業活動を行うことができる。なお、名刺ホルダ１０には、名刺以外のカードを入れておくことも可能である。
【００２１】
名刺ホルダ１０の形状には二種類あり、それぞれを、第一の実施形態、第二の実施形態として説明する。
【００２２】
第一の実施形態
図２は、第一の実施形態にかかる名刺ホルダ１０の平面図である。名刺ホルダ１０は、裏表紙（カード載せ台）３、カード抑え１２を備える。カード抑え１２は、透明な柔らかい素材（例えば、軟質塩化ビニール）でできている。カード抑え１２は裏表紙３に固定されている。固定法は周知であり、説明を省略する。また、カード抑え１２は、上方に半月状の切り欠き１２ａを有する。切り欠き１２ａは、名刺の取り出しを容易にするためのものである。
【００２３】
名刺Ｃは図３および図４に示すように、その一部が切り欠き１２ａにかかるように、名刺ホルダ１０に収納される。よって、切り欠き１２ａの近辺の、カード抑え１２に覆われていない名刺の部分を指で裏表紙３に軽く押しつけながら、名刺を引き出せば、名刺を名刺ホルダ１０から容易に取り出せる。なお、名刺Ｃは、裏表紙３に載せられ、カード抑え１２に抑えられている。よって、カード抑え１２と裏表紙３との間に、名刺Ｃが収納されていることになる。
【００２４】
カード抑え１２は、第一移動防止部１２２、第二移動防止部１２４、第三移動防止部１２６および補助移動防止部１３０において、裏表紙３に固定されている。ここで、図２において、横方向をＸ方向、縦方向をＹ方向とする。
【００２５】
第一移動防止部１２２は、名刺ホルダ１０に収納された名刺（図３、４を参照）の、Ｘ方向（所定方向）への移動を防止する。第一移動防止部１２２の長さＹ２は、名刺の長辺の長さＬ程度である。なお、名刺Ｃの移動の防止について説明する。名刺Ｃを第一移動防止部１２２に突き当たるまで押し込めば、名刺Ｃをそれ以上押し込めない。これにより、名刺Ｃの移動を防止できる。ただし、名刺Ｃとカード抑え１２との摩擦、および、名刺Ｃと裏表紙３との摩擦によっては、名刺Ｃを第一移動防止部１２２に突き当たるまでは押し込めないこともある。この場合も、第一移動防止部１２２によって、カード抑え１２と裏表紙３との間隔が、第一移動防止部１２２近辺において狭まっているため、名刺Ｃを第一移動防止部１２２に突き当たるまでは押し込めないのである。よって、第一移動防止部１２２が、名刺Ｃの移動を防止していることにかわりはない。なお、他の移動防止部についても同様なことがいえる。
【００２６】
第二移動防止部１２４は、第一移動防止部１２２と直交し、Ｘ方向とは直交する−Ｙ方向（直交方向）への名刺の移動を防止する。第二移動防止部１２４の長さは、名刺の長辺の長さＬ程度である。
【００２７】
第三移動防止部１２６は、第一移動防止部１２２と平行に配置され、−Ｘ方向（逆方向）への名刺の移動を防止する。第三移動防止部１２６の長さは、第一移動防止部１２２の長さＹ２とほぼ等しい。また、第三移動防止部１２６と第一移動防止部１２２との間隔Ｘ２は、名刺の長辺の長さＬ以上である。
【００２８】
補助移動防止部１３０は、補助第一移動防止部１３２、補助第二移動防止部１３４を有する。補助第一移動防止部１３２は、第一移動防止部１２２と平行に配置され名刺の−Ｘ方向への移動を防止する。なお、補助第一移動防止部１３２の長さは、第一移動防止部１２２よりもかなり短い。補助第二移動防止部１３４は、第二移動防止部１２４と平行に配置され名刺のする−Ｙ方向への移動を防止する。なお、補助第二移動防止部１３４の長さは、第二移動防止部１２４よりもかなり短い。
【００２９】
また、補助第一移動防止部１３２と第一移動防止部１２２との間隔Ｘ１は、名刺の短辺の長さＳ以上であり、かつ名刺の長辺の長さＬ未満である。さらに、補助第二移動防止部１３４と、カード抑え１２の上の辺までの長さＹ１は、ほぼ名刺の短辺の長さＳに等しい。
【００３０】
さらに、補助移動防止部１３０は、一個だけあればよい。
【００３１】
次に、第一の実施形態の動作を説明する。
【００３２】
図３は、名刺Ｃを縦に第一の実施形態にかかる名刺ホルダ１０に収納したときの状態を示す図である。名刺Ｃを縦に名刺ホルダ１０に収納する場合は、切り欠き１２ａから名刺Ｃを縦に入れて、名刺Ｃの短辺を補助第一移動防止部１３２と第一移動防止部１２２との間に通す。そして、名刺Ｃの短辺が、ほぼ第二移動防止部１２４に当たるまで、名刺Ｃを押しこむ。
【００３３】
図４は、名刺Ｃを横に第一の実施形態にかかる名刺ホルダ１０に収納したときの状態を示す図である。名刺Ｃを横に名刺ホルダ１０に収納する場合は、切り欠き１２ａから名刺Ｃを横に入れて、名刺Ｃの長辺が、補助第二移動防止部１３４に当たるまで、名刺Ｃを押しこむ。
【００３４】
第一の実施形態によれば、ただ一個の補助移動防止部１３０によって、名刺Ｃを縦にも横にも名刺ホルダ１０に収納できる。
【００３５】
なお、横書きの名刺Ｃ（裏面にも氏名等が印刷されているものとする）を一枚、図４に示すように、名刺ホルダ１０に収納してから、縦書きの名刺Ｃ（裏面にも氏名等が印刷されているものとする）を一枚、図３に示すように、名刺ホルダ１０に収納することも可能である。この場合、縦書きの名刺Ｃを横書きの名刺Ｃの上に重ねる。すると、バインダ１を開けば、縦書きの名刺Ｃの表面の全てを見ることができる。しかも、バインダ１を閉じたまま透明な裏表紙３を表にすれば、横書きの名刺Ｃの裏面の全てを見ることができる。
【００３６】
また、縦書きの名刺Ｃ（裏面にも氏名等が印刷されているものとする）を一枚、図３に示すように、名刺ホルダ１０に収納してから、横書きの名刺Ｃ（裏面にも氏名等が印刷されているものとする）を一枚、図４に示すように、名刺ホルダ１０に収納することも可能である。この場合、横書きの名刺Ｃを縦書きの名刺Ｃの上に重ねる。すると、バインダ１を開けば、横書きの名刺Ｃの表面の全てを見ることができる。しかも、バインダ１を閉じたまま透明な裏表紙３を表にすれば、縦書きの名刺Ｃの裏面の全てを見ることができる。
【００３７】
第二の実施形態
図５は、第二の実施形態にかかる名刺ホルダ１０の平面図である。名刺ホルダ１０は、裏表紙（カード載せ台）３、カード抑え１２を備える。カード抑え１２は、透明な柔らかい素材（例えば、軟質塩化ビニール）でできている。カード抑え１２は裏表紙３に固定されている。固定法は周知であり、説明を省略する。また、カード抑え１２は、上方に半月状の切り欠き１２ａを有し、さらに右方に半月状の切り欠き１２ｂを有する。切り欠き１２ａ、１２ｂは、名刺の取り出しを容易にするためのものである。
【００３８】
名刺Ｃは図６に示すように、その一部が切り欠き１２ａにかかるように、名刺ホルダ１０に収納される。よって、切り欠き１２ａの近辺の、カード抑え１２に覆われていない名刺の部分を指で裏表紙３に軽く押しつけながら、名刺を引き出せば、名刺を名刺ホルダ１０から容易に取り出せる。
【００３９】
また、名刺Ｃは図７に示すように、その一部が切り欠き１２ｂにかかるようにも、名刺ホルダ１０に収納される。よって、切り欠き１２ｂの近辺の、カード抑え１２に覆われていない名刺の部分を指で裏表紙３に軽く押しつけながら、名刺を引き出せば、名刺を名刺ホルダ１０から容易に取り出せる。
【００４０】
なお、名刺Ｃは、裏表紙３に載せられ、カード抑え１２に抑えられている。よって、カード抑え１２と裏表紙３との間に、名刺Ｃが収納されていることになる。
【００４１】
カード抑え１２は、第一移動防止部１２１、第二移動防止部１２３、固定部１２５ａ、１２５ｂ、１２７ａ、１２７ｂ、第一付加移動防止部１３、第二付加移動防止部１４０、第三付加移動防止部１５０、第四付加移動防止部１６０において、裏表紙３に固定されている。ここで、図５において、横方向をＸ方向、縦方向をＹ方向とする。
【００４２】
第一移動防止部１２１は、名刺ホルダ１０に収納された名刺（図６、７を参照）の、−Ｘ方向（所定方向）への移動を防止する。第一移動防止部１２１の長さＹ２は、名刺の長辺の長さＬ程度である。なお、名刺Ｃの移動の防止について説明する。名刺Ｃを第一移動防止部１２１に突き当たるまで押し込めば、名刺Ｃをそれ以上押し込めない。これにより、名刺Ｃの移動を防止できる。ただし、名刺Ｃとカード抑え１２との摩擦、および、名刺Ｃと裏表紙３との摩擦によっては、名刺Ｃを第一移動防止部１２１に突き当たるまでは押し込めないこともある。この場合も、第一移動防止部１２１によって、カード抑え１２と裏表紙３との間隔が、第一移動防止部１２１近辺において狭まっているため、名刺Ｃを第一移動防止部１２１に突き当たるまでは押し込めないのである。よって、第一移動防止部１２１が、名刺Ｃの移動を防止していることにかわりはない。なお、他の移動防止部についても同様なことがいえる。
【００４３】
第二移動防止部１２３は、第一移動防止部１２１と直交し、Ｘ方向とは直交する−Ｙ方向（直交方向）への名刺の移動を防止する。第二移動防止部１２３の長さは、名刺の長辺の長さＬ程度である。
【００４４】
固定部１２５ａ、１２５ｂは、第二移動防止部１２３と平行に配置されている。固定部１２５ａ、１２５ｂは、切り欠き１２ａにより連結されている。固定部１２７ａ、１２７ｂは、第一移動防止部１２１と平行に配置されている。固定部１２７ａ、１２７ｂは、切り欠き１２ｂにより連結されている。また、固定部１２７ａ、１２７ｂと第一移動防止部１２１との間隔Ｘ２は、名刺の長辺の長さＬ以上である。
【００４５】
第一付加移動防止部１３は、第一部分１３１、第二部分１３３を有する。第一部分１３１は、第一移動防止部１２１と平行に配置され、名刺の−Ｘ方向への移動を防止する。なお、第一部分１３１の長さは、第一移動防止部１２１よりもかなり短い。第二部分１３３は、第二移動防止部１２３と平行に配置され名刺の−Ｙ方向への移動を防止する。なお、第二部分１３３の長さは、第二移動防止部１２３よりもかなり短い。
【００４６】
第二付加移動防止部１４０は、第一部分１４２、第二部分１４４を有する。第一部分１４２は、第一移動防止部１２１と平行に配置され、名刺のＸ方向への移動を防止する。なお、第一部分１４２の長さは、第一移動防止部１２１よりもかなり短い。第二部分１４４は、第二移動防止部１２３と平行に配置され名刺の−Ｙ方向への移動を防止する。なお、第二部分１４４の長さは、第二移動防止部１２３よりもかなり短い。
【００４７】
第三付加移動防止部１５０は、第一部分１５２、第二部分１５４を有する。第一部分１５２は、第一移動防止部１２１と平行に配置され、名刺の−Ｘ方向への移動を防止する。なお、第一部分１５２の長さは、第一移動防止部１２１よりもかなり短い。第二部分１５４は、第二移動防止部１２３と平行に配置され名刺のＹ方向への移動を防止する。なお、第二部分１５４の長さは、第二移動防止部１２３よりもかなり短い。
【００４８】
第四付加移動防止部１６０は、第一部分１６２、第二部分１６４を有する。第一部分１６２は、第一移動防止部１２１と平行に配置され、名刺のＸ方向への移動を防止する。なお、第一部分１６２の長さは、第一移動防止部１２１よりもかなり短い。第二部分１６４は、第二移動防止部１２３と平行に配置され名刺のＹ方向への移動を防止する。なお、第二部分１６４の長さは、第二移動防止部１２３よりもかなり短い。
【００４９】
なお、第一付加移動防止部１３と第二付加移動防止部１４０との間隔＝第三付加移動防止部１５０と第四付加移動防止部１６０との間隔＝Ｘ３とすれば、間隔Ｘ３は、名刺の短辺の長さＳ以上であり、かつ名刺の長辺の長さＬ未満である。
【００５０】
また、第一付加移動防止部１３と第三付加移動防止部１５０との間隔＝第二付加移動防止部１４０と第四付加移動防止部１６０との間隔＝Ｙ３とすれば、間隔Ｙ３は、名刺の短辺の長さＳ以上であり、かつ名刺の長辺の長さＬ未満である。
【００５１】
次に、第二の実施形態の動作を説明する。
【００５２】
図６は、名刺Ｃを縦に第二の実施形態にかかる名刺ホルダ１０に収納したときの状態を示す図である。名刺Ｃを縦に名刺ホルダ１０に収納する場合は、切り欠き１２ａから名刺Ｃを縦に入れて、名刺Ｃの下側の短辺を、第三付加移動防止部１５０と第四付加移動防止部１６０と間に通す。さらに、名刺Ｃを下に押しこんでいき、第一付加移動防止部１３と第二付加移動防止部１４０との間に、名刺Ｃの下側の短辺を通す。名刺Ｃの下側の短辺が、ほぼ第二移動防止部１２３に当たるまで、名刺Ｃを押しこむ。すると、名刺Ｃの上側が、第三付加移動防止部１５０と第四付加移動防止部１６０と間に位置する。
【００５３】
図７は、名刺Ｃを横に第二の実施形態にかかる名刺ホルダ１０に収納したときの状態を示す図である。名刺Ｃを横に名刺ホルダ１０に収納する場合は、切り欠き１２ｂから名刺Ｃを横に入れて、名刺Ｃの左側の短辺を、第二付加移動防止部１４０と第四付加移動防止部１６０との間に通す。さらに、名刺Ｃを左に押しこんでいき、第一付加移動防止部１３と第三付加移動防止部１５０との間に、名刺Ｃの左側の短辺を通す。名刺Ｃの左側の短辺が、ほぼ第一移動防止部１２１に当たるまで、名刺Ｃを押しこむ。すると、名刺Ｃの右側が、第二付加移動防止部１４０と第四付加移動防止部１６０と間に位置する。
【００５４】
第二の実施形態によれば、第一付加移動防止部１３、第二付加移動防止部１４０、第三付加移動防止部１５０および第四付加移動防止部１６０といった四個の部分によって、第一の実施形態よりも安定して、名刺Ｃを縦にも横にも名刺ホルダ１０に収納できる。
【００５５】
なお、横書きの名刺Ｃ（裏面にも氏名等が印刷されているものとする）を一枚、図７に示すように、名刺ホルダ１０に収納してから、縦書きの名刺Ｃ（裏面にも氏名等が印刷されているものとする）を一枚、図６に示すように、名刺ホルダ１０に収納することも可能である。この場合、縦書きの名刺Ｃを横書きの名刺Ｃの上に重ねる。すると、バインダ１を開けば、縦書きの名刺Ｃの表面の全てを見ることができる。しかも、バインダ１を閉じたまま透明な裏表紙３を表にすれば、横書きの名刺Ｃの裏面の全てを見ることができる。
【００５６】
また、縦書きの名刺Ｃ（裏面にも氏名等が印刷されているものとする）を一枚、図６に示すように、名刺ホルダ１０に収納してから、横書きの名刺Ｃ（裏面にも氏名等が印刷されているものとする）を一枚、図７に示すように、名刺ホルダ１０に収納することも可能である。この場合、横書きの名刺Ｃを縦書きの名刺Ｃの上に重ねる。すると、バインダ１を開けば、横書きの名刺Ｃの表面の全てを見ることができる。しかも、バインダ１を閉じたまま透明な裏表紙３を表にすれば、縦書きの名刺Ｃの裏面の全てを見ることができる。
【図面の簡単な説明】
【００５７】
【図１】本発明の実施の形態にかかるバインダ１を開いた状態の平面図である。
【図２】第一の実施形態にかかる名刺ホルダ１０の平面図である。
【図３】名刺Ｃを縦に第一の実施形態にかかる名刺ホルダ１０に収納したときの状態を示す図である。
【図４】名刺Ｃを横に第一の実施形態にかかる名刺ホルダ１０に収納したときの状態を示す図である。
【図５】第二の実施形態にかかる名刺ホルダ１０の平面図である。
【図６】名刺Ｃを縦に第二の実施形態にかかる名刺ホルダ１０に収納したときの状態を示す図である。
【図７】名刺Ｃを横に第二の実施形態にかかる名刺ホルダ１０に収納したときの状態を示す図である。
【符号の説明】
【００５８】
１０  名刺ホルダ（カードホルダ）
３  裏表紙（カード載せ台）
１２  カード抑え
１２ａ、１２ｂ  切り欠き
１２２  第一移動防止部
１２４  第二移動防止部
１２６  第三移動防止部
１３０  補助移動防止部
１３２  補助第一移動防止部
１３４  補助第二移動防止部
Ｃ  名刺
Ｌ  名刺の長辺の長さ
Ｓ  名刺の短辺の長さ
１２１  第一移動防止部
１２３  第二移動防止部
１２５ａ、１２５ｂ、１２７ａ、１２７ｂ  固定部
１３  第一付加移動防止部
１４０  第二付加移動防止部
１５０  第三付加移動防止部
１６０  第四付加移動防止部
【図１】
2006256257.tif 000003
【図２】
2006256257.tif 000004
【図３】
2006256257.tif 000005
【図４】
2006256257.tif 000006
【図５】
2006256257.tif 000007
【図６】
2006256257.tif 000008
【図７】
2006256257.tif 000009